(57)【要約】【課題】温湿度変化に伴う天井構成材の伸縮、風圧による外壁の反り、地震時における家屋の揺れ等の諸原因に基づて天井と壁の間で位置ズレが生じても、変位許容部を介する天井側の側縁部と壁側の側縁部はこれらに追従して変位できるため、天井と壁の間の隙間発生を防止しえ、見栄えを損なうことなく、室内の機密性を維持しうる底目地を形成できる底目地用の見切り材を提供する。【解決手段】天井と壁との境界部に設けられる底目地を形成するために使用される底目地用の見切り材であって、天井に固着される天井側の側縁部と、壁に固着される壁側の側縁部とを具え、前記天井側の側縁部と壁側の側縁部の間に、該天井側の側縁部と壁側の側縁部間の相対変位を可能とする変位許容部が設ける。【選択図】  図１
2004346711.tif 000002
【特許請求の範囲】
【請求項１】
天井と壁との境界部に設けられる底目地を形成するために使用される底目地用の見切り材であって、
天井に固着される天井側の側縁部と、壁に固着される壁側の側縁部とを具え、前記天井側の側縁部と壁側の側縁部の間に、該天井側の側縁部と壁側の側縁部間の相対変位を可能とする変位許容部が設けられたことを特徴とする底目地用の見切り材。
【請求項２】
前記変位許容部は、天井側の側縁部と壁側の側縁部を、目地方向と直角方向に変位可能とすることを特徴とする請求項１記載の底目地用の見切り材。
【請求項３】
前記変位許容部は、天井側の側縁部と壁側の側縁部を、目地方向および、目地方向と直角方向に変位可能とすることを特徴とする請求項１記載の底目地用の見切り材。
【請求項４】
前記変位許容部は、前記天井側の側縁部と壁側の側縁部とを継ぐ変形可能な継ぎ部からなることを特徴とする請求項１〜３のいずれかに記載の底目地用の見切り材。
【請求項５】
前記変位許容部は、前記天井側の側縁部と壁側の側縁部との重なり部からなることを特徴とする請求項１〜３のいずれかに記載の底目地用の見切り材。
【発明の詳細な説明】
【０００１】
【発明の属する技術分野】
本発明は、天井と壁との境界部に設けられる底目地を形成するために使用される底目地用の見切り材に関する。
【０００２】
【従来の技術】
図７には、建物の天井構造の例が示されており、天井ａは吊木ｂにより支持された野縁ｃと、該野縁ｃの下面に固定された石膏ボード等の天井板ｄとを含み構成されている。そして該天井ａはその端部が壁ｅの表面に交差している。ここで、前記天井ａと壁ｅとは表面の仕上仕様が異なることが多く、又双方にクロス等の仕上シートを貼る場合にも、天井ａから全ての壁ｅまでを連続して貼ることはできないため、天井ａと壁ｅの境界部で継ぎ目を生じることになる。これら異なる仕上の境界や仕上シートの継ぎ目が露出すると見栄えを損ねる。
【０００３】
このような背景から、従来より、建物の室内に向く壁と天井とが交差する境界部においては、相互の接続状態を調整するためのコーナー処理のための工法が採用されている。その一つとして、天井と壁の境界部に沿って、装飾性を具えた長尺状の廻り縁材を装着して、前記継ぎ目を覆う見切りを形成する工法が採用されている。しかしながら、廻り縁材は目立ち易い位置で天井と壁の境界部全長にわたり設けられるため、天井、壁の仕上仕様、或いはその仕様の組合わせ等により、時として違和感を生み、意匠性を損ねる場合がある。
【０００４】
そこで、天井と壁の境界部に溝状の底目地を形成し、天井と壁の仕上の境界に見切りを設けることによって、前記違和感を解消して見栄えを高め、仕上シートの継ぎ目を底目地内に設けることにより目立たなくする底目地工法が多く採用されている。
【０００５】
しかし、天井と壁の境界部の全長に亘り、一定巾の底目地を形成する作業は手間がかかり、作業能率を著しく低下させる。そこで、壁と天井とが交差する境界部に取付けることにより一定巾の底目地が形成できて見栄えがよく、しかも熟練を必要とせず作業効率を高めうる底目地用の見切り材が提案されている（例えば特許文献１）。
【０００６】
図８に示す底目地用の見切り材は、帯状をなす取付板ｈの巾方向略中央から脚片ｉを垂下し、さらに該脚片ｉの下端から天井側へ折れ曲る支持片ｊを有するもので、取付板ｈと脚片ｉと支持片ｊが樹脂で一体に成形されている。一側部を壁ｅに当接した位置で、取付板ｈを野縁ｃに釘、粘着剤等で固着することにより、前記取付板ｈと脚片ｉと壁ｅ間で底目地ｋを形成することができる。また取付板ｈと支持片ｉ間に天井板ｄの端部が挿入されている。
【０００７】
【特許文献１】
特開２０００−１７９１４０号公報（図１）
【発明が解決しようとする課題】
しかしながら、季節、室内の空調等に因る気温、湿度変化にともない野縁ｃ、天井板ｄ等天井ａの構成材料が伸縮して、天井ａ全体における前記伸縮により壁ｅと向き合う天井ａの端部に変位が生じる。
【０００８】
一方壁ｅが外壁である場合、台風などで衝撃的な動風圧（負圧も含む）が掛かると、外壁面全面で受ける圧力は相当大きくなり、剛性の高い外壁であっても、面方向に対して反りを発生し、これにより天井ａと向き合う壁ｅの表面に変位が生じる。また地震時に大きな揺れを生じると、天井ａ、壁ｅを含み家屋全体に変位を生じることがある。
【０００９】
これら各種自然原因等に基づいて、天井ａ、壁ｅの何れかに変位が生じると、天井ａに固定された前記底目地用の見切り材の取付板ｈと壁ｅの間に隙間が発生し、これが連続した線となって目立つ為外観を損ない、かつ気密性が損なわれるという問題がある。
【００１０】
また、四周枠の表面、裏面に面材を添設した壁パネルを連続して形成した工業化建築物の壁において、地震などの際に壁パネルが壁面と直角方向に位置ズレして、隣接する壁パネル間で表面に出入差を生じ、これにより前記取付板ｈ、壁ｅ間に隙間が発生することがある。
【００１１】
本発明は、以上のような問題点に鑑み案出なされたもので、地震等の原因で天井と壁間に変位、位置ズレがあっても隙間の出来ない底目地を形成することのできる底目地用の見切り材の提供を目的としている。
【００１２】
【課題を解決するための手段】
本発明のうち請求項１記載の発明は、天井と壁との境界部に設けられる底目地を形成するために使用される底目地用の見切り材であって、天井に固着される天井側の側縁部と、壁に固着される壁側の側縁部とを具え、前記天井側の側縁部と壁側の側縁部の間に、該天井側の側縁部と壁側の側縁部間の相対変位を可能とする変位許容部が設けられたことを特徴とする。この底目地用の見切り材を用いた底目地は、天井と壁の間に位置の変化が生じても、底目地に隙間ができることはなく、従って、外観を維持し、室内の空気が漏れることがない。
【００１３】
前記変位許容部は、請求項２記載の発明では、天井側の側縁部と壁側の側縁部を、目地方向と直角方向に変位可能とし、請求項３記載の発明では、天井側の側縁部と壁側の側縁部を、目地方向および、目地方向と直角方向に変位可能とする。
【００１４】
前記変位許容部は、請求項４記載の発明では、前記天井側の側縁部と壁側の側縁部とを継ぐ変形可能な継ぎ部からなり、請求項５記載の発明では、前記天井側の側縁部と壁側の側縁部との重なり部からなることを特徴とする。
【００１５】
【発明の実施の形態】
以下本発明の実施の一形態を図面に基づき説明する。図１は本発明の底目地用の見切り材１の斜視図、図２は底目地用の見切り材１を天井２と壁３の境界部４に取付けた状態を説明する斜視図である。
【００１６】
図２に示す天井２において、天井板２１は石膏ボード、ロックウール吸音板、化粧合板等の面材を用い、複数枚の天井板２１が野縁２２の下面に隙間なく固着されている。前記野縁２２は木材、軽量鉄骨材等を縦横に一定の間隔を隔てて格子状に枠組みされ、吊木受け２４に上端が固着されて垂下する吊木２３の下端に固着されることにより略水平に支持されている。前記吊木受け２４は、天井裏空間で床梁、胴差し等の間に架設されている。また、上階の床を床パネルで形成する家屋では、該床パネルの枠体を吊木受け２４として利用することもある。なお天井２は、前記天井板２１、野縁２２を含んで構成される。
【００１７】
また壁３は、木材、溝形鋼等の枠材を矩形に枠組した周囲枠２５の両側に石膏ボード、合板、サイディングボード等の壁板２６ｉ、２６ｏを貼設した壁パネルＰにより形成されるものを例示する。該壁パネルＰは上部が取付金具等を介して胴差し２７に固定され、下部は土台により基礎に固定されている。
【００１８】
図１に示す底目地用の見切り材１は、天井２に固着される天井側の側縁部６と、壁３に固着される壁側の側縁部７とを具える。
【００１９】
前記天井側の側縁部６は、水平な帯状の基板２８と、該基板２８の中間部から一体に垂下する脚片２９と、該脚片２９の下端から一方に向けて水平に伸びる支持片３０とからなる。前記基板２８の巾Ｗ１は通常１０ｍｍ〜１００ｍｍ、好ましくは２０ｍｍ〜７０ｍｍ、本例では４０ｍｍに形成され、また脚片２９はその垂下長さが通常５ｍｍ〜３０ｍｍ、本例では１３ｍｍに形成される。
【００２０】
また本例では、基板２８は前記一方側の第１の基板２８Ａと、多方側の第２の基板２８Ｂとからなり、該第１の基板２８Ａと、第２の基板２８Ｂは小間隙を隔てて配される。また本例では、前記脚片２９は第１の基板２８Ａと第２の基板２８Ｂの向き合う側縁部から各々垂下する第１の脚片２９Ａと第２の脚片２９Ｂとからなり、該第１の脚片２９Ａ、第２の脚片２９Ｂの下端は連結部３１で連結され一体化している。また前記支持片３０と前記連結部３１とは連続板状に形成されている。
【００２１】
また前記壁側の側縁部７は帯板状をなし、その巾Ｗ２は、通常５ｍｍ〜７０ｍｍ、好ましくは１０ｍｍ〜５０ｍｍ、本例では２５ｍｍに形成される。
【００２２】
前記天井側の側縁部６と壁側の側縁部７は、その向き合う端部が、変形可能なテープ３３の中間部３３ａを残した両側の積層部３３ｂ、３３ｂに各々接着されることにより、折れ曲り可能に連結される。前記テープ３３は（エラストマー）等の樹脂フィルム、紙、布等、変形可能なものが用いられる。
【００２３】
前記テープ３３の中間部３３ａは、前記天井側の側縁部６、壁側の側縁部７に積層接着されることなく、天井側の側縁部６と壁側の側縁部７との間に配され、該中間部３３ａが変形可能な継ぎ部９を構成する。さらに該継ぎ部９は、天井側の側縁部６と壁側の側縁部７は相対的な変位を可能とする変位許容部８を構成する。尚前記テープ３３の中間部３３ａは、通常１ｍｍ〜１５ｍｍ、好ましくは３ｍｍ〜１０ｍｍ、本例では５ｍｍに形成される。
【００２４】
前記底目地用の見切り材１は、図２、３に示すように、天井２と壁３の境界部４において、天井側の側縁部６はその基板２８を挿通する釘３７により野縁２２に固着され、他方壁側の側縁部７は両面粘着テープ貼りにより壁３に固着される。これにより、前記境界部４に天井側の側縁部６の基板２８と、脚片２９と壁側の側縁部７に囲まれた溝状の底目地５を形成する。このとき、天井側の側縁部６と壁側の側縁部７の相対変位の範囲をより拡大するため、前記テープ３３の中間部３３ａは弛緩状態で配されるよう、天井側の側縁部６の固着位置は設定される。
【００２５】
また天井板２１の壁３側の端縁は、天井側の側縁部６の基板２８と支持片３０間に挟着され、更に野縁２２に対して釘止め（図示せず）することもある。
【００２６】
前記底目地用の見切り材１を用いて底目地５を形成すると、地震により建物各部に発生する変位、温度湿度変化より生じる天井板２１、野縁２２を含む天井２の構成部材の伸縮に起因した天井２の変位、台風などで瞬間的な強風により外壁に生じる反りによる壁３の変位などの各種の変位により、天井側の側縁部６と壁側の側縁部７間に目地方向と直角方向の変位が生じても、前記継ぎ部９がこれに追従して変形し、従って天井側の側縁部６と壁側の側縁部７間に隙間を生じることがない。これにより、底目地５による天井２と壁３の境界部４の見栄えを維持できるとともに室内の気密性を損なうことがない。さらに、連続する壁パネルにより構築される壁３において、前記地震などの際隣接する壁パネル間で壁面に出入が発生しても、前記継ぎ部９がこの壁の変位に応じて変形するため、天井２と壁３の境界部４の隙間発生を防止しえる。
【００２７】
例えば、図４に示すように、天井２が壁３から離れる方向に変位しても、前記テープ３３の中間部３３ａよりなる継ぎ部９が、前記弛緩状態から引張り状態に変形して前記変位に追従し、天井側の側縁部６と壁側の側縁部７との間隔の広がりを覆うことができ、底目地５に隙間が発生することがない。
【００２８】
また、図５に示すように、壁側の側縁部７が天井側の側縁部６に対して相対的に上方に変位しても、前記テープ３３の中間部３３ａよりなる継ぎ部９がこの変位を許容して、底目地用の見切り材１のせん断破損が防止されるため、底目地５に隙間を生じることがない。
【００２９】
また、前記テープ３３に伸縮可能な、例えば弾性樹脂フィルム等を用いることにより、より大きな相対変位を可能とし、さらには目地方向と直角方向の変位に加えて、目地方向に対する変位にも追従しえる。
【００３０】
また本例では、天井側の側縁部６は柔軟なプラスチック等、変形可能な材料で形成されているため、下端が連結部３１で連結された第１の脚片２９Ａ、第２の脚片２９Ｂの上部が開閉して、その上部の間隔が増減する変形が可能であり、これにより第１の基板２８Ａと、第２の基板２８Ｂとが離間、近接両方向へ変位しえる。このため、本例の底目地用の見切り材１は、前記変位許容部８による相対変位機能に、前記第１の基板２８Ａと第２の基板２８Ｂ間の変位機能が加わり、天井側の側縁部６を構成する第１の基板２８Ａと壁側の側縁部７の間で、より大きな相対変位が可能である。
【００３１】
図６は、前記と異なる態様の底目地用の見切り材１が天井２と壁３の境界部４に配され底目地５を形成している状態を示す断面図である。天井側の側縁部６は、基板３４と、該基板３４から一体に垂下する脚片３５と、該脚片３５の下端から一側方に向けて水平に伸びる支持片３６とからなり、壁側の側縁部７は帯板状の基片７ａと、該基片７ａの上端から天井２側に向け折れ曲る重ね片７ｂとを一体に形成して断面Ｌ字状をなす。そして天井側の側縁部６と壁側の側縁部７間には、天井側の側縁部６の基板３４と壁側の側縁部７の重ね片７ｂとが上下に配置されることにより重なり部１０が形成される。なお、図６では基板３４の下に重ね片７ｂが配置されているが、上下が入れ替わる変形も可能である。
【００３２】
前記天井側の側縁部６は、基板３４を挿通する釘３７により野縁２２に固着されることにより、天井２の壁３際に配される。また基板３４と支持片３６間で天井板２１の端部を挟着し、支持片３６の先端部の段差をパテ３８で均した上に、天井板２１から支持片３６、脚片３５、基板３４の表面上に連続して仕上シート３９を貼着している。
【００３３】
前記壁側の側縁部７は、基片７ａを壁３の表面に両面テープにより固着することにより壁３に固定される。重ね片７ｂが前記天井側の側縁部６の基板３４の下側に重なる状態で配され前記重なり部１０を形成している。また、天井側の側縁部６の脚片３５、基板３４、壁側の側縁部７により、天井２と壁３の境界部４に溝状の底目地５が形成される。
【００３４】
前記重なり部１０により、天井側の側縁部６と壁側の側縁部７とは、目地方向および目地方向と直交方向に相対的に変位が可能となり、該重なり部１０は変位許容部８を構成している。これにより、地震、台風、天井構成部材の伸縮等により天井２、壁３が変位しても、底目地５を構成する天井側の側縁部６と壁側の側縁部７間に隙間を生じることがなく、外観と気密性を維持できる。
【００３５】
また、前記重なり部１０を構成する前記天井側の側縁部６の基板３４と前記壁側の側縁部７の重ね片７ｂとの間に、例えば重ね片７ｂの上面にスポンジテープを貼着する等して形成した気密層（図示せず）を介挿することにより、重なり部１０における空気漏れを防ぐことができる。
【００３６】
【発明の効果】
上述したように本発明は、天井側の側縁部と壁側の側縁部の間に、該天井側の側縁部と壁側の側縁部間の相対変位を可能とする変位許容部が設けられているため、温湿度変化に伴う天井構成材の伸縮、風圧による外壁の反り、地震時における家屋の揺れ等の諸原因に基づて天井と壁の間で位置ズレが生じても、変位許容部を介する天井側の側縁部と壁側の側縁部はこれらに追従して変位できるため、天井と壁の間の隙間発生を防止しえ、見栄えを損なうことなく、室内の機密性を維持しうる底目地を形成できる。
【図面の簡単な説明】
【図１】本発明の一実施形態を例示する斜視図である。
【図２】その使用状態を示す斜視図である。
【図３】その要部拡大斜視図である。
【図４】天井が変位した状態を例示する斜視図である。
【図５】壁が変位した状態を例示する斜視図である。
【図６】他の実施形態を例示する断面図である。
【図７】従来の天井と壁の境界部を例示する斜視図である。
【図８】従来例を例示する断面図である。
【符号の説明】
１      底目地用の見切り材
２      天井
３      壁
４      境界部
５      底目地
６      天井側の側縁部
７      壁側の側縁部
８      変位許容部
９      継ぎ部
１０      重なり部
【図１】
2004346711.tif 000003
【図２】
2004346711.tif 000004
【図３】
2004346711.tif 000005
【図４】
2004346711.tif 000006
【図５】
2004346711.tif 000007
【図６】
2004346711.tif 000008
【図７】
2004346711.tif 000009
【図８】
2004346711.tif 000010